(57)【要約】      （修正有）【課題】支払い金額をめぐってのトラブルを防止することができ、支払い金額の計算を迅速に行う。【解決手段】投入金額計算部１０１が貨幣計量器１００に投入された貨幣の金額を計算すると、当該貨幣は貨幣排出部１０２によって確認口１１２へ排出される。このとき、計算された金額が表示部１０７へ通知され、通知された金額が表示部に表示される。当該紙幣は所定タイマ時間後に貨幣計量器内に取り込まれるように構成されており、買い物客や店員は、この間に確認口に排出された当該貨幣を確認する。【選択図】図１
2010198452.tif 000002
【特許請求の範囲】
【請求項１】
貨幣を計量する貨幣計量器であって、
当該貨幣計量器に投入された貨幣の金額を計算する投入金額計算部と、
前記投入金額計算部が前記投入された貨幣の金額を計算した後、前記投入された貨幣を
当該貨幣計量器から排出する貨幣排出部とを有する貨幣計量器。
【請求項２】
請求項１に記載の貨幣計量器において、
前記貨幣排出部は、前記貨幣を外部から確認できる位置に、該貨幣を排出することを特徴とする貨幣計量器。
【請求項３】
請求項１に記載の貨幣計量器において、
前記投入金額計算部が計算した前記投入された貨幣の金額を表示する表示部を有することを特徴とする貨幣計量器。
【請求項４】
請求項１に記載の貨幣計量器において、
前記投入金額計算部が計算した前記投入された貨幣の金額を、当該貨幣計量器と接続されたレジへ送信する通信部を有することを特徴とする貨幣計量器。
【請求項５】
請求項３に記載の貨幣計量器において、
前記貨幣排出部が前記貨幣を排出してから所定の時間が経過した際、該貨幣を当該貨幣計量器内に取り込む貨幣取り込み部と、
前記貨幣取り込み部が取り込んだ貨幣を収納する貨幣収納部と、
前記投入金額計算部が計算した前記投入された貨幣の金額から、当該貨幣計量器に入力された金額を差し引いた釣銭金額を計算する釣銭金額計算部と、
前記釣銭金額計算部が計算した釣銭金額の貨幣を、前記貨幣収納部から取り出して当該貨幣計量器から排出する釣銭排出部とを有することを特徴とする貨幣計量器。
【請求項６】
請求項５に記載の貨幣計量器において、
前記表示部は、前記釣銭金額計算部が計算した釣銭金額を表示することを特徴とする貨幣計量器。
【請求項７】
請求項５に記載の貨幣計量器において、
前記貨幣排出部が前記貨幣を排出してから時間を計測するタイマを有し、
前記貨幣取り込み部は、前記タイマが計測した時間と前記所定の時間とが一致した場合、該貨幣を当該貨幣計量器内に取り込むことを特徴とする貨幣計量器。
【請求項８】
貨幣を計量する貨幣計量器における貨幣計量方法であって、
当該貨幣計量器に投入された貨幣の金額を計算する処理と、
前記投入された貨幣の金額を計算した後、前記投入された貨幣を当該貨幣計量器から排出する処理とを有する貨幣計量方法。
【請求項９】
請求項８に記載の貨幣計量方法において、
前記投入された貨幣を当該貨幣計量器から排出する際、前記貨幣を外部から確認できる位置に、該貨幣を排出する処理を有することを特徴とする貨幣計量方法。
【請求項１０】
請求項８に記載の貨幣計量方法において、
前記計算した前記投入された貨幣の金額を表示する処理を有することを特徴とする貨幣計量方法。
【請求項１１】
請求項８に記載の貨幣計量方法において、
前記計算した前記投入された貨幣の金額を、当該貨幣計量器と接続されたレジへ送信する処理を有することを特徴とする貨幣計量方法。
【請求項１２】
請求項８に記載の貨幣計量方法において、
前記貨幣を排出してから時間を計測する処理と、
前記貨幣を排出してから所定の時間が経過した際、該貨幣を当該貨幣計量器内に取り込む処理と、
前記貨幣を収納するために当該貨幣計量器に設けられた貨幣収納部に、前記取り込んだ貨幣を収納する処理と、
前記計算した前記投入された貨幣の金額から、当該貨幣計量器に入力された金額を差し引いた釣銭金額を計算する処理と、
前記釣銭金額の貨幣を、前記貨幣収納部から取り出す処理と、
前記貨幣収納部から取り出した貨幣を当該貨幣計量器から排出する処理とを有することを特徴とする貨幣計量方法。
【請求項１３】
請求項１２に記載の貨幣計量方法において、
前記釣銭金額を表示する処理を有することを特徴とする貨幣計量方法。
【請求項１４】
貨幣を計量する貨幣計量器に、
当該貨幣計量器に投入された貨幣の金額を計算する手順と、
前記投入された貨幣の金額を計算した後、前記投入された貨幣を当該貨幣計量器から排出する手順とを実行させるためのプログラム。
【請求項１５】
請求項１４に記載のプログラムにおいて、
前記投入された貨幣を当該貨幣計量器から排出する際、前記貨幣を外部から確認できる位置に、該貨幣を排出する手順を実行させるためのプログラム。
【請求項１６】
請求項１４に記載のプログラムにおいて、
前記計算した前記投入された貨幣の金額を表示する手順を実行させるためのプログラム。
【請求項１７】
請求項１４に記載のプログラムにおいて、
前記計算した前記投入された貨幣の金額を、当該貨幣計量器と接続されたレジへ送信する手順を実行させるためのプログラム。
【請求項１８】
請求項１４に記載のプログラムにおいて、
前記貨幣を排出してから時間を計測する手順と、
前記貨幣を排出してから所定の時間が経過した際、該貨幣を当該貨幣計量器内に取り込む手順と、
前記貨幣を収納するために当該貨幣計量器に設けられた貨幣収納部に、前記取り込んだ貨幣を収納する手順と、
前記計算した前記投入された貨幣の金額から、当該貨幣計量器に入力された金額を差し引いた釣銭金額を計算する手順と、
前記釣銭金額の貨幣を、前記貨幣収納部から取り出す手順と、
前記貨幣収納部から前記取り出した貨幣を当該貨幣計量器から排出する手順とを実行させるためのプログラム。
【請求項１９】
請求項１８に記載のプログラムにおいて、
前記釣銭金額を表示する手順を実行させるためのプログラム。
【発明の詳細な説明】
【技術分野】
【０００１】
本発明は、貨幣を計量する貨幣計量器、貨幣計量方法およびプログラムに関する。
【背景技術】
【０００２】
一般的に、買い物客の支払う貨幣（現金）については、店員が一時金置き場にて金額確認を行い、ＰＯＳ端末（レジ）に預かり金として登録している。また、この預かり金の自動認識は、自動釣銭機によって行われている。自動釣銭機へ預かり金を投入することによって金額計算を行い、預かり金は自動釣銭機に直接収納され、計算された釣銭が自動釣銭機から排出されている（例えば、特許文献１参照。）。
【先行技術文献】
【特許文献】
【０００３】
【特許文献１】特開平６−２９５３８９号公報
【発明の概要】
【発明が解決しようとする課題】
【０００４】
しかしながら、上述した技術においては、以下に示す２つの問題点がある。
【０００５】
第１の問題点は、買い物客の支払い金額の申告と自動釣銭機の計算金額とが異なる場合、その差異についてトラブルとなりやすいことである。
【０００６】
その理由は、買い物客の支払い金額の申請が間違っていたとしても、支払った貨幣（現金）はすでに自動釣銭機に収納されており、後から再度確認することが困難であるからである。
【０００７】
第２の問題点は、店員と買い物客との間で金銭授受に時間がかかってしまうことである。
【０００８】
その理由は、金額の差異の支払う現金について、店員が目視・暗算にとり金額確認を行っているためである。また、目視及び暗算であるため間違いも起こりやすい。
【０００９】
本発明の目的は、上述した課題を解決する貨幣計量器、貨幣計量方法およびプログラムを提供することである。
【課題を解決するための手段】
【００１０】
本発明の貨幣計量器は、
貨幣を計量する貨幣計量器であって、
当該貨幣計量器に投入された貨幣の金額を計算する投入金額計算部と、
前記投入金額計算部が前記投入された貨幣の金額を計算した後、前記投入された貨幣を
当該貨幣計量器から排出する貨幣排出部とを有する。
【００１１】
また、本発明の貨幣計量方法は、
貨幣を計量する貨幣計量器における貨幣計量方法であって、
当該貨幣計量器に投入された貨幣の金額を計算する処理と、
前記投入された貨幣の金額を計算した後、前記投入された貨幣を当該貨幣計量器から排出する処理とを有する。
【００１２】
また、本発明のプログラムは、
貨幣を計量する貨幣計量器に実行させるプログラムであって、
当該貨幣計量器に投入された貨幣の金額を計算する手順と、
前記投入された貨幣の金額を計算した後、前記投入された貨幣を当該貨幣計量器から排出する手順とを実行させる。
【発明の効果】
【００１３】
以上説明したように本発明においては、投入金額計算部が貨幣計量器に投入された貨幣の金額を計算し、その後、貨幣排出部が投入された貨幣を当該貨幣計量器から排出する構成としたため、支払い金額をめぐってのトラブルを防止することができ、支払い金額の計算を迅速に行うことができる。
【図面の簡単な説明】
【００１４】
【図１】本発明の貨幣計量器の第１の実施の形態を示す図である。
【図２】図１に示した貨幣計量器の外観の一例を示す図である。
【図３】図１に示した貨幣計量器における貨幣計量方法を説明するためのフローチャートである。
【図４】本発明の貨幣計量器の第２の実施の形態を示す図である。
【図５】図４に示した貨幣計量器の外観の一例を示す図である。
【図６】図４に示した貨幣計量器における貨幣計量方法を説明するためのフローチャートである。
【図７】本発明の貨幣計量器の第３の実施の形態を示す図である。
【図８】図７に示した貨幣計量器の外観の一例を示す図である。
【図９】図７に示した貨幣計量器における貨幣計量方法を説明するためのフローチャートである。
【発明を実施するための形態】
【００１５】
以下に、本発明の実施の形態について説明する。
（第１の実施の形態）
図１は、本発明の貨幣計量器の第１の実施の形態を示す図である。
【００１６】
第１の実施の形態における貨幣計量器１００には図１に示すように、投入金額計算部１０１と、貨幣排出部１０２と、表示部１０７と、投入口１１１と、確認口１１２とが設けられている。なお、図１には、第１の実施の形態における貨幣計量器１００の構成要素のうち、本発明の関わる構成要素のみを示した。
【００１７】
投入金額計算部１０１は、投入口１１１に投入された貨幣の金額を計算する。貨幣の金額の計算方法は、一般的なものであれば良い。また、投入金額計算部１０１は、計算した金額を表示部１０７へ通知する。
【００１８】
貨幣排出部１０２は、投入金額計算部１０１が投入口１１１に投入された貨幣の金額を計算した後、当該貨幣を確認口１１２へ排出する。
【００１９】
表示部１０７は、投入金額計算部１０１から通知されてきた投入金額を表示する。
【００２０】
投入口１１１は、買い物客や店員が外部から貨幣を投入する口である。
【００２１】
確認口１１２は、買い物客や店員が投入口に投入された貨幣を確認するために貨幣排出部１０２が排出した貨幣を受ける口である。
【００２２】
図２は、図１に示した貨幣計量器１００の外観の一例を示す図である。
【００２３】
図１に示した貨幣計量器１００は図２に示すように、表示部１０７と、投入口１１１と、確認口１１２とが外部から視認可能になっている。
【００２４】
表示部１０７および投入口１１１の配置は特に規定しない。
【００２５】
確認口１１２は、買い物客や店員等の利用者が確認口１１２に排出された貨幣を外部から確認（視認）できる位置に配置されている。また、確認口１１２の形状は、排出された貨幣を外部から確認（視認）できる形状となっている。
【００２６】
以下に、図１に示した貨幣計量器１００における貨幣計量方法について説明する。
【００２７】
図３は、図１に示した貨幣計量器１００における貨幣計量方法を説明するためのフローチャートである。
【００２８】
まず、買い物客または店員によって投入口１１１に貨幣が投入されると（ステップＳ１）、投入された貨幣の金額が投入金額計算部１０１によって計算される（ステップＳ２）。
【００２９】
投入金額計算部１０１によって貨幣の金額が計算されると、当該貨幣が貨幣排出部１０２によって確認口１１２へ排出される（ステップＳ３）。このとき、投入金額計算部１０１によって計算された金額が表示部１０７へ通知され、通知された金額が表示部１０７に表示される。
【００３０】
これにより、確認口１１２に排出されている貨幣を買い物客や店員が確認することができる。
【００３１】
その後、精算を行うレジに店員によって金額が入力され、精算が行われ、確認口１１２に排出されている貨幣がレジのキャッシュドロワに収納される。
【００３２】
なお、精算を行うレジが、貨幣計量器１００と一体化しているものであっても良い。
（第２の実施の形態）
図４は、本発明の貨幣計量器の第２の実施の形態を示す図である。
【００３３】
第２の実施の形態における貨幣計量器１００は図４に示すように、レジ２００と接続されている。また、第２の実施の形態における貨幣計量器１００には図４に示すように、投入金額計算部１０１と、貨幣排出部１０２と、表示部１０７と、投入口１１１と、確認口１１２と、通信部１０９とが設けられている。なお、図４には、第２の実施の形態における貨幣計量器１００の構成要素のうち、本発明の関わる構成要素のみを示した。
【００３４】
投入金額計算部１０１は、投入口１１１に投入された貨幣の金額を計算する。貨幣の金額の計算方法は、一般的なものであれば良い。また、投入金額計算部１０１は、計算した金額を表示部１０７および通信部１０９へ通知する。
【００３５】
貨幣排出部１０２は、投入金額計算部１０１が投入口１１１に投入された貨幣の金額を計算した後、当該貨幣を確認口１１２へ排出する。
【００３６】
表示部１０７は、投入金額計算部１０１から通知されてきた投入金額を表示する。
【００３７】
投入口１１１は、買い物客や店員が外部から貨幣を投入する口である。
【００３８】
確認口１１２は、買い物客や店員が投入口に投入された貨幣を確認するために貨幣排出部１０２が排出した貨幣を受ける口である。
【００３９】
通信部１０９は、投入金額計算部１０１から通知された金額をレジ２００へ送信する。
【００４０】
レジ２００は、通信部１０９から送信されてきた金額に基づいて、一般的な精算処理を行う。レジ２００は、例えば、ＰＯＳ端末であっても良い。
【００４１】
図５は、図４に示した貨幣計量器１００の外観の一例を示す図である。
【００４２】
図４に示した貨幣計量器１００は図５に示すように、表示部１０７と、投入口１１１と、確認口１１２とが外部から視認可能になっている。また、レジ２００と接続されている。
【００４３】
表示部１０７および投入口１１１の配置は特に規定しない。
【００４４】
確認口１１２は、買い物客や店員等の利用者が確認口１１２に排出された貨幣を外部から確認（視認）できる位置に配置されている。また、確認口１１２の形状は、排出された貨幣を外部から確認（視認）できる形状となっている。
【００４５】
以下に、図４に示した貨幣計量器１００における貨幣計量方法について説明する。
【００４６】
図６は、図４に示した貨幣計量器１００における貨幣計量方法を説明するためのフローチャートである。
【００４７】
まず、買い物客または店員によって投入口１１１に貨幣が投入されると（ステップＳ１１）、投入された貨幣の金額が投入金額計算部１０１によって計算される（ステップＳ１２）。
【００４８】
投入金額計算部１０１によって貨幣の金額が計算されると、当該貨幣が貨幣排出部１０２によって確認口１１２へ排出される（ステップＳ１３）。このとき、投入金額計算部１０１によって計算された金額が表示部１０７へ通知され、通知された金額が表示部１０７に表示される。
【００４９】
また、投入金額計算部１０１によって計算された金額が通信部１０９へ通知され、通信部１０９からレジ２００へ送信される（ステップＳ１４）。
【００５０】
これにより、確認口１１２に排出されている貨幣を買い物客や店員が確認することができる。
【００５１】
その後、レジ２００へ送信された金額がレジ２００にて利用されて精算が行われる。このとき、店員によって確認口１１２に排出されている貨幣がレジ２００のキャッシュドロワに収納される。
【００５２】
なお、精算を行うレジ２００が、貨幣計量器１００と一体化しているものであっても良い。
（第３の実施の形態）
図７は、本発明の貨幣計量器の第３の実施の形態を示す図である。
【００５３】
第３の実施の形態における貨幣計量器１００には図７に示すように、投入金額計算部１０１と、貨幣排出部１０２と、貨幣取り込み部１０３と、貨幣収納部１０４と、釣銭金額計算部１０５と、釣銭排出部１０６と、表示部１０７と、タイマ１０８と、入力部１１０と、投入口１１１と、確認口１１２と、返却口１１３とが設けられている。なお、図７には、第３の実施の形態における貨幣計量器１００の構成要素のうち、本発明の関わる構成要素のみを示した。
【００５４】
投入金額計算部１０１は、投入口１１１に投入された貨幣の金額を計算する。貨幣の金額の計算方法は、一般的なものであれば良い。また、投入金額計算部１０１は、計算した金額を表示部１０７へ通知する。
【００５５】
貨幣排出部１０２は、投入金額計算部１０１が投入口１１１に投入された貨幣の金額を計算した後、当該貨幣を確認口１１２へ排出する。このとき、貨幣排出部１０２は、タイマ１０８を起動する。
【００５６】
貨幣取り込み部１０３は、タイマ１０８が計測している時間とあらかじめ設定された時間とが一致した際、確認口１１２に排出されている貨幣を貨幣計量器１００内に取り込む。ここで、あらかじめ設定された時間とは、買い物客等の支払いを行っている者や店員が確認口１１２に排出された貨幣を確認するのに十分な時間である。また、貨幣取り込み部１０３は、取り込んだ貨幣を貨幣収納部１０４に収納する。
【００５７】
貨幣収納部１０４は、貨幣（現金）を収納する。
【００５８】
釣銭金額計算部１０５は、投入金額計算部１０１が計算した金額から入力部１１０に入力された金額を差し引いた釣銭金額を計算する。また、釣銭金額計算部１０５は、計算した釣銭金額を表示部１０７および釣銭排出部１０６へ通知する。
【００５９】
釣銭排出部１０６は、釣銭金額計算部１０５が通知してきた釣銭金額の貨幣を貨幣収納部１０４から取り出す。また、釣銭排出部１０６は、貨幣収納部１０４から取り出した貨幣を返却口１１３へ排出する。
【００６０】
表示部１０７は、投入金額計算部１０１から通知されてきた投入金額を表示する。また、表示部１０７は、釣銭金額計算部１０５が通知してきた釣銭金額を表示する。
【００６１】
タイマ１０８は、貨幣排出部１０２によって起動する時計である。
【００６２】
入力部１１０は、外部から情報を入力する。例えば、キーボタンやスキャナ、バーコードリーダ等である。
【００６３】
投入口１１１は、買い物客や店員が外部から貨幣を投入する口である。
【００６４】
確認口１１２は、買い物客や店員が投入口に投入された貨幣を確認するために貨幣排出部１０２が排出した貨幣を受ける口である。
【００６５】
返却口１１３は、釣銭排出部１０６が排出した貨幣を受ける口である。
【００６６】
図８は、図７に示した貨幣計量器１００の外観の一例を示す図である。
【００６７】
図７に示した貨幣計量器１００は図８に示すように、表示部１０７と、入力部１１０と、投入口１１１と、確認口１１２と、返却口１１３とが外部から視認可能になっている。
【００６８】
表示部１０７、入力部１１０、投入口１１１および返却口１１３の配置は特に規定しない。
【００６９】
確認口１１２は、買い物客や店員等の利用者が確認口１１２に排出された貨幣を外部から確認（視認）できる位置に配置されている。また、確認口１１２の形状は、排出された貨幣を外部から確認（視認）できる形状となっている。
【００７０】
以下に、図７に示した貨幣計量器１００における貨幣計量方法について説明する。
【００７１】
図９は、図７に示した貨幣計量器１００における貨幣計量方法を説明するためのフローチャートである。
【００７２】
まず、店員によって金額が入力され（入力部１１０を用いた手入力や、商品のバーコード読み取りによる入力等）、買い物客または店員によって投入口１１１に貨幣が投入されると（ステップＳ２１）、投入された貨幣の金額が投入金額計算部１０１によって計算される（ステップＳ２２）。
【００７３】
投入金額計算部１０１によって貨幣の金額が計算されると、当該貨幣が貨幣排出部１０２によって確認口１１２へ排出される（ステップＳ２３）。このとき、投入金額計算部１０１によって計算された金額が表示部１０７へ通知され、通知された金額が表示部１０７に表示される。
【００７４】
また、貨幣排出部１０２によって貨幣が確認口１１２へ排出される際、貨幣排出部１０２によってタイマ１０８が起動する（ステップＳ２４）。
【００７５】
その後、貨幣取り込み部１０３によって、タイマ１０８が計測している時間とあらかじめ設定された時間とが一致したかどうかが判断される（ステップＳ２５）。
【００７６】
貨幣取り込み部１０３によって、タイマ１０８が計測している時間とあらかじめ設定された時間とが一致したと判断された場合、確認口１１２に排出されている貨幣が貨幣取り込み部１０３によって貨幣計量器１００内に取り込まれる（ステップＳ２６）。
【００７７】
このステップＳ２３からステップＳ２６の処理の間に、確認口１１２に排出されている貨幣を買い物客や店員が確認することができる。
【００７８】
確認口１１２に排出されている貨幣が貨幣取り込み部１０３によって貨幣計量器１００内に取り込まれると、取り込まれた貨幣が貨幣取り込み部１０３によって貨幣収納部１０４に収納される（ステップＳ２７）。
【００７９】
また、ステップＳ２２にて投入金額計算部１０１によって計算された金額から、ステップＳ２１にて入力部１１０に入力された金額を差し引いた釣銭金額が、釣銭金額計算部１０５によって計算される（ステップＳ２８）。このとき、釣銭金額計算部１０５によって計算された釣銭金額が表示部１０７へ通知され、通知された釣銭金額が表示部１０７に表示される。
【００８０】
釣銭金額計算部１０５によって釣銭金額が計算されると、計算された釣銭金額が釣銭金額計算部１０５から釣銭排出部１０６へ通知される。
【００８１】
すると、釣銭排出部１０６にて、釣銭金額計算部１０５から通知された釣銭金額の貨幣が貨幣収納部１０４から取り出され（ステップＳ２９）、取り出された貨幣が返却口１１３へ排出される（ステップＳ３０）。
【００８２】
本発明は上述したような構成をとることにより、支払い金額について、支払った買い物客と受け取った店員との間の、支払い金額の差異についてのトラブルを防止することができる。
【００８３】
その理由は、貨幣計量器１００にて支払い金を計算した後、一旦排出するため、買い物客が自分の支払い金額を再度確認できるためである。
【００８４】
また、支払い金額の計算を自動で行っているため、金額の間違いを避けることができ、支払い金額の計算を迅速に行うことができる。
【００８５】
なお、精算を行うレジが、貨幣計量器１００と一体化しているものであっても良い。
【００８６】
上述した貨幣計量器１００の処理は、目的に応じて作製された論理回路で行うようにしても良い。また、処理内容を手順として記述したプログラムを貨幣計量器１００にて読取可能な記録媒体に記録し、この記録媒体に記録されたプログラムを貨幣計量器１００に読み込ませ、実行するものであっても良い。貨幣計量器１００にて読取可能な記録媒体とは、フロッピーディスク（登録商標）、光磁気ディスク、ＤＶＤ、ＣＤなどの移設可能な記録媒体の他、貨幣計量器１００に内蔵されたＲＯＭ、ＲＡＭ等のメモリやＨＤＤ等を指す。この記録媒体に記録されたプログラムは貨幣計量器１００内のＣＰＵ（不図示）にて読み込まれ、ＣＰＵの制御によって、上述したものと同様の処理が行われる。ここで、ＣＰＵは、プログラムが記録された記録媒体から読み込まれたプログラムを実行するコンピュータとして動作するものである。
【符号の説明】
【００８７】
１００    貨幣計量器
１０１    投入金額計算部
１０２    貨幣排出部
１０３    貨幣取り込み部
１０４    貨幣収納部
１０５    釣銭金額計算部
１０６    釣銭排出部
１０７    表示部
１０８    タイマ
１０９    通信部
１１０    入力部
１１１    投入口
１１２    確認口
１１３    返却口
２００    レジ
【図１】
2010198452.tif 000003
【図２】
2010198452.tif 000004
【図３】
2010198452.tif 000005
【図４】
2010198452.tif 000006
【図５】
2010198452.tif 000007
【図６】
2010198452.tif 000008
【図７】
2010198452.tif 000009
【図８】
2010198452.tif 000010
【図９】
2010198452.tif 000011